(57)【要約】      （修正有）【課題】電動ハンドツールの回転継手を提供する。【解決手段】回転接続筒１０と、駆動軸２０とを備え、回転接続筒１０には、下端に連結ロッド１１が設けられ、内部に複数の凹入歯が環設されている。駆動軸２０は、上段部２１、中段部２２及び下段部２３に区分けされ、中段部２２の下端縁に複数の凸出歯２７が環設されている。駆動軸２０が回転接続筒１０内に収容され、回転接続筒１０の頂端部分が縮径されることで、両者は係合され位置制限される。駆動軸２０が押圧されて下方へ移動した場合、凹入歯及び凸出歯２７が噛合状となり、回転接続筒１０が駆動軸２０の回転を駆動することができる。回転接続筒１０と駆動軸２０との間の凹入歯及び凸出歯２７により、トルク値の制限として機能し、ネジ、ナット等の螺合部材の崩壊が防止される。【選択図】図１
0003193700.tif 000002
【実用新案登録請求の範囲】
【請求項１】
回転接続筒と、駆動軸とを備え、円形筒体である回転接続筒には、下端に連結ロッドが設けられ、内部に複数の凹入歯が環設されられており、それぞれの凹入歯の壁面は、傾斜を有する斜面に設けられ、前記回転接続筒内の底部に収容孔が設けられており、前記駆動軸は、上段部、中段部及び下段部に区分けされ、前記上段部と中段部との間は、軸径の異なる階段部が形成され、前記上段部には、回転ロッドの連結端を収容する連結孔が内設されており、前記中段部の下端縁には複数の凸出歯が環設されており、それぞれの凸出歯の壁面は、傾斜を有する斜面に設けられ、前記下段部は、前記回転接続筒の収容孔に収容され、前記下段部には、圧縮バネを収容するためのバネ収容孔が内設されており、前記駆動軸は、回転接続筒内に収容され、回転接続筒の頂端部分が縮径され、前記回転接続筒の頂端が前記駆動軸の階段部に押圧されることで、前記駆動軸が前記回転接続筒に係合され、駆動軸が押圧されて下方へ移動した場合、前記凹入歯及び凸出歯が噛合状となり、前記回転接続筒が前記駆動軸及び回転ロッドの回転を駆動することを特徴とする電動ハンドツールの回転継手。
【考案の詳細な説明】
【技術分野】
【０００１】
本考案は、電動ハンドツールの回転継手に関し、特に電動ハンドツールと回転ロッドとの間の継手具として利用されるとともに、継手具に対してトルク制限構造が内設されることにより、ネジ、ナット等の螺合部材の崩壊が防止されるものに関するものである。
【背景技術】
【０００２】
電動ハンドツールは、ネジ、ナット等の螺合部材による物品の螺合時に欠かせない重要な装備である。使用の場合には、電動ハンドツール先端の連結端に回転ロッドを組み合わせ接続し、回転ロッドで螺合部材の回転締結を駆動する。回転ロッドの末端は、一般的に六角状ロッド体となっており、電動ハンドツール先端の連結端が組み合わせ接続される。回転ロッドの先端は、螺合しようとする螺合部材の形態に応じて対応する態様、例えば、一字ドライバー、十字ドライバー、六角スリーブ等、各種類のツールジョイント等に設けられる。これにより、電動ハンドツールは、回転ロッドを駆動し、さらに螺合部材の締結固定を駆動することができる。
【０００３】
電動ハンドツールは、回転ロッドの駆動時に、所定の強度のトルク値で回転ロッドを駆動する。実際の操作過程において、ネジ、ナット等の螺合部材が最後まで回転されたが、操作者は依然として回転ロッドを駆動し続けるため、ネジの十字孔または一字孔、若しくはナットの六角ヘッドが強力の回転によって崩壊してしまい、螺合部材が回転ロッドによって駆動されなくなる不具合の発生がよくある。さらに、ネジ、ナット等の螺合部材が最後まで回転されたが、操作者が回転ロッドを駆動し続ける場合は、螺合部材の螺合しすぎによってワーク（被固定物）の表面が破壊され、ワークの外観上の欠陥となる。
【考案の概要】
【考案が解決しようとする課題】
【０００４】
そこで、本考案は、従来の電動ハンドツールの使用時に螺合部材が崩壊しやすく、螺合しすぎによってワーク表面が破壊される不具合を改善するための回転継手構造を提供することを目的とする。
【課題を解決するための手段】
【０００５】
上記の目的を達成するために、本考案に係る回転継手は、回転接続筒と、駆動軸とを備える。円形筒体である回転接続筒には、下端に連結ロッドが設けられ、内部に複数の凹入歯が環設されられている。駆動軸は、上段部、中段部及び下段部に区分けされる。上段部と中段部との間は、軸径の異なる階段部が形成され、上段部には、連結孔が内設されており、中段部の下端縁には複数の凸出歯が環設されており、下段部には、圧縮バネを収容するためのバネ収容孔が内設されている。駆動軸は、回転接続筒内に収容され、回転接続筒の頂端部分が縮径され、回転接続筒の頂端が駆動軸の階段部に押圧されることで、両者は、離脱することなく、係合され位置制限される。駆動軸が押圧されて下方へ移動した場合、凹入歯及び凸出歯が噛合状となり、回転接続筒が駆動軸の回転を駆動することができる。
【０００６】
回転接続筒の連結ロッドは、六角状のロッド体であり、電動ハンドツール先端の連結端が組み合わせ接続される。
【考案の効果】
【０００７】
本考案に係る回転継手によれば、トルクが制限されることで、ネジ、ナット等の螺合部材の崩壊が防止される。
【図面の簡単な説明】
【０００８】
【図１】本考案に係る回転継手の素子分解図を示す。
【図２】本考案に係る回転継手の模式図を示す。
【図３】本考案に係る回転継手の断面模式図を示す。
【図４】図３における駆動軸が押圧によって移動した後の模式図を示す。
【図５】本考案に係る回転継手が電動ハンドツールに適用される模式図を示す。
【考案を実施するための形態】
【０００９】
本考案の添付図面は、模式的に本考案の基本構造を説明し、図面における素子形状、寸法、比例または数は、選択性の設計である。
【００１０】
図１〜図３に示すように、本考案に係る回転継手は、回転接続筒１０と、駆動軸２０とを備える。円形筒体である回転接続筒１０には、下端に連結ロッド１１が設けられ、連結ロッド１１は、六角状のロッド体であり、電動ハンドツール先端の連結端が組み合わせ接続される。回転接続筒１０の内部に複数の凹入歯１２が環設されられており、それぞれの凹入歯１２の壁面は、適当な傾斜を有する斜面１３に設けられ、回転接続筒１０内の底部に収容孔１４が設けられ、収容孔１４は、回転接続筒１０を貫通していない。
【００１１】
駆動軸２０は、軸体であり、上段部２１、中段部２２及び下段部２３に区分けされる。上段部２１と中段部２２との間は、軸径の異なる階段部２４が形成され、上段部２１には、連結孔２５が内設されている。係合珠２６は、上段部２１の壁面に嵌設されており、連結孔２５に突入している。回転ロッド３０の連結端３１は、連結孔２５に突入し、係合珠２６が回転ロッド３０の連結端３１における係合溝３１１に係合され位置制限される。中段部２２の下端縁には複数の凸出歯２７が環設されており、それぞれの凸出歯２７の壁面は、適当な傾斜を有する斜面２８に設けられる。下段部２３には、圧縮バネ２９１を収容するためのバネ収容孔２９が内設されている。
【００１２】
回転ロッド３０は、従来のハンドツールジョイントであり、その下端の連結端３１は、六角状ロッド体となっており、その上端が螺合端３２であり、螺合端３２は、螺合しようとする螺合部材の形態に応じて対応する態様、例えば十字ドライバー３２１、一字ドライバー３２２または六角スリーブ３２３等、各種類のツールジョイントに設けられる（図３参照）。
【００１３】
駆動軸２０と回転接続筒１０との組み合わせは、駆動軸２０の下段部２３が回転接続筒１０の収容孔１４に収容され、中段部２２の下端縁の凸出歯２７が回転接続筒１０の凹入歯１２の上端縁に対応した後、回転接続筒１０の頂端部分が縮径され、回転接続筒１０の頂端が駆動軸２０の階段部２４に押圧されることで、駆動軸２０は、離脱することなく、回転接続筒１０に係合されることになる。バネ収容孔２９内に取り付けられる圧縮バネ２９１が回転接続筒１０と駆動軸２０との伸長力として機能するため、凹入歯１２及び凸出歯２７は、常に分離状態となっている。
【００１４】
図４〜５に示すように、回転接続筒１０の連結ロッド１１は、電動ハンドツール４０（例えば電動ドライバー、電動ドリル）の連結口４１に嵌設され、回転ロッド３０の連結端３１は、駆動軸２０の連結孔２５に組み合わせ接続される。ユーザは、ネジまたはナットを螺合しようとする場合、駆動軸２０が押下げられる（図４参照）ことで、回転接続筒１０の凹入歯１２と駆動軸２０の凸出歯２７とが噛合状となっているため、電動ハンドツール４０によって駆動される回転接続筒１０は、駆動軸２０及び回転ロッド３０の回転を駆動することができ、回転ロッド３０先端の螺合端３２は、ネジまたはナットを回転させることによりワークを締結固定する。ネジまたはナットが最後まで螺合される場合、ネジまたはナットを螺合し続けるためには、より大きなトルク値が必要となる。ただし、回転接続筒１０がより大きなトルク値を駆動軸２０に印加するようにした場合は、トルク値の増大によって凹入歯１２と凸出歯２７との間に隣接した斜面１３、２８に摺動脱落の現象が発生し、駆動軸２０が上へ移動するため、噛合関係が失われてしまう。従って、回転接続筒１０は、駆動軸２０を駆動することにより、ネジまたはナットの十字孔、一字孔または六角ヘッドを崩壊から防止し、ネジまたはナット等の螺合部材が螺合しすぎによってワーク表面を傷つけることを回避することができなくなる。
【００１５】
回転接続筒１０が駆動軸２０に印加したトルク値限界は、凹入歯１２及び凸出歯２７の斜面１３、２８の脱出力に依存する。当該数値は、実験テストによって斜面１３、２８の傾斜を得ることができる。異なる傾斜の凹入歯１２及び凸出歯２７を構成することにより、ユーザの要求に応じて必要とする駆動トルク値の大きさを調整することができる。
【００１６】
本考案に係る回転接続筒１０及び駆動軸２０は、電動ハンドツール４０と回転ロッド３０との間に適用可能な回転継手構造として構成され、回転接続筒１０と駆動軸２０との間に有するトルク制限構成により、ネジまたはナット等の螺合部材の崩壊を防止されるとともに、螺合部材が螺合しすぎによってワーク表面を傷つけることを回避することができるため、より好ましい実用的効果を提供することができる。
【００１７】
上記のように、これらの実施の形態は本考案の好ましい実施例のみであり、本考案の特許請求の範囲に基づいてなされる等価の変更や修飾は、本考案の技術範囲に入るものである。
【００１８】
以上のように、本考案では、回転接続筒と、駆動軸とを備え、円形筒体である回転接続筒には、下端に連結ロッドが設けられ、内部に複数の凹入歯が環設されられており、それぞれの凹入歯の壁面は、傾斜を有する斜面に設けられ、前記回転接続筒内の底部に収容孔が設けられており、前記駆動軸は、上段部、中段部及び下段部に区分けされ、前記上段部と中段部との間は、軸径の異なる階段部が形成され、前記上段部には、回転ロッドの連結端を収容する連結孔が内設されており、前記中段部の下端縁には複数の凸出歯が環設されており、それぞれの凸出歯の壁面は、傾斜を有する斜面に設けられ、前記下段部は、前記回転接続筒の収容孔に収容され、前記下段部には、圧縮バネを収容するためのバネ収容孔が内設されており、前記駆動軸は、回転接続筒内に収容され、回転接続筒の頂端部分が縮径され、前記回転接続筒の頂端が前記駆動軸の階段部に押圧されることで、前記駆動軸が前記回転接続筒に係合され、駆動軸が押圧されて下方へ移動した場合、前記凹入歯及び凸出歯が噛合状となり、前記回転接続筒が前記駆動軸及び回転ロッドの回転を駆動することを特徴とする電動ハンドツールの回転継手とするものである。
【産業上の利用可能性】
【００１９】
本考案に係る回転継手によれば、トルクが制限されることで、ネジ、ナット等の螺合部材の崩壊が防止される。
【符号の説明】
【００２０】
１０  回転接続筒
１１  連結ロッド
１２  凹入歯
１３  斜面
１４  収容孔
２０  駆動軸
２１  上段部
２２  中段部
２３  下段部
２４  階段部
２５  連結孔
２６  係合珠
２７  凸出歯
２８  斜面
２９  バネ収容孔
２９１  圧縮バネ
３０  回転ロッド
３１  連結端
３１１  係合溝
３２  螺合端
３２１  十字ドライバー
３２２  一字ドライバー
３２３  六角スリーブ
４０  電動ハンドツール
４１  連結口
【図１】
0003193700.tif 000003
【図２】
0003193700.tif 000004
【図３】
0003193700.tif 000005
【図４】
0003193700.tif 000006
【図５】
0003193700.tif 000007